(57)【要約】【課題】記録媒体上から除去可能な画像の記録および除去を良好な作業性で実現する。【解決手段】本発明に係る記録媒体上にインクジェット方式を用いて画像を形成し、形成した画像を光の照射によって定着させた後、溶媒で溶解して記録媒体上から当該画像を除去するためのインク組成物、ならびに記録媒体上にインクジェット方式を用いて形成した画像層の下地となり、形成した画像層を光の照射によって定着させた後、溶媒で溶解して記録媒体上から当該画像層を除去するためのインク組成物は、光の照射を受けることで硬化し、硬化した状態で溶媒によって溶解する光硬化性化合物を含む。【選択図】なし【特許請求の範囲】
【請求項１】
光の照射を受けることで硬化し、硬化した状態で溶媒によって溶解する光硬化性化合物を含むことを特徴とする、記録媒体上にインクジェット方式を用いて画像を形成し、形成した画像を光の照射によって定着させた後、溶媒で溶解して記録媒体上から当該画像を除去するためのインク組成物。
【請求項２】
連鎖移動剤をさらに含むことを特徴とする請求項１に記載の記録媒体上にインクジェット方式を用いて画像を形成し、形成した画像を光の照射によって定着させた後、溶媒で溶解して記録媒体上から当該画像を除去するためのインク組成物。
【請求項３】
上記インク組成物を溶解するための上記溶媒は、水、弱アルカリ水溶液または有機溶剤であることを特徴とする請求項１または２に記載の記録媒体上にインクジェット方式を用いて画像を形成し、形成した画像を光の照射によって定着させた後、溶媒で溶解して記録媒体上から当該画像を除去するためのインク組成物。
【請求項４】
光の照射を受けることで硬化し、硬化した状態で溶媒によって溶解する光硬化性化合物を含むインクを用いて、記録媒体上にインクジェット方式で画像を形成し、形成した画像を光の照射によって定着させた後、当該インクを当該溶媒で溶解して上記記録媒体上から上記画像を除去することを特徴とする記録媒体の再利用方法。
【請求項５】
光の照射を受けることで硬化し、硬化した状態で溶媒によって溶解する光硬化性化合物を含むことを特徴とする、記録媒体上にインクジェット方式を用いて形成した画像層の下地となり、形成した画像層を光の照射によって定着させた後、溶媒で溶解して記録媒体上から当該画像層を除去するためのインク組成物。
【請求項６】
連鎖移動剤をさらに含むことを特徴とする請求項５に記載の記録媒体上にインクジェット方式を用いて形成した画像層の下地となり、形成した画像層を光の照射によって定着させた後、溶媒で溶解して記録媒体上から当該画像層を除去するためのインク組成物。
【請求項７】
上記インク組成物を溶解させるために使用する上記溶媒は、水、弱アルカリ水溶液または有機溶剤であることを特徴とする請求項５または６に記載の記録媒体上にインクジェット方式を用いて形成した画像層の下地となり、形成した画像層を光の照射によって定着させた後、溶媒で溶解して記録媒体上から当該画像層を除去するためのインク組成物。
【請求項８】
光の照射を受けることで硬化し、硬化した状態で溶媒によって溶解する第１インクでコート層を記録媒体上に形成し、第２インクで画像層を当該コート層上に形成する記録ヘッドと、
上記記録媒体上の上記第１インクに光を照射する照射手段と、を備えることを特徴とするインクジェット記録装置。
【請求項９】
上記記録ヘッドは、上記画像層を網点印刷して形成することを特徴とする請求項８に記載のインクジェット記録装置。
【請求項１０】
上記コート層の印刷範囲の大きさは、上記画像層の印刷範囲の大きさ以上であることを特徴とする請求項８または９に記載のインクジェット記録装置。
【請求項１１】
光の照射を受けることで硬化し、硬化した状態で溶媒によって溶解する第１インクでコート層を記録媒体上に形成し、第２インクで画像層を当該コート層上に形成する工程と、
上記記録媒体上の上記第１インクに光を照射する工程と、を含むことを特徴とするインクジェット記録方法。
【請求項１２】
光の照射を受けることで硬化し、硬化した状態で溶媒によって溶解する光硬化性化合物を含む第１インクを用いて、記録媒体上にインクジェット方式でコート層を形成し、当該コート層上に第２インクを用いて、インクジェット方式で画像層を形成し、形成した画像層を光の照射によって定着させた後、当該コート層を当該溶媒で溶解して上記記録媒体上から上記画像層を除去することを特徴とする記録媒体の再利用方法。
【発明の詳細な説明】
【技術分野】
【０００１】
本発明は、記録媒体上にインクジェット方式を用いて画像を形成し、形成した画像を光の照射によって定着させた後、溶媒で溶解して記録媒体上から当該画像を除去するためのインク組成物および記録媒体の再利用方法、ならびに記録媒体上にインクジェット方式を用いて形成した画像層の下地となり、形成した画像層を光の照射によって定着させた後、溶媒で溶解して記録媒体上から当該画像層を除去するためのインク組成物、インクジェット記録装置、インクジェット記録方法および記録媒体の再利用方法に関する。
【背景技術】
【０００２】
一般的に、記録装置による記録媒体への記録は不可逆的であり、一度記録した画像を除去して当該記録媒体を繰り返して使用することはできない。環境負荷を考慮した場合、特に短期的に内容変更される表示については、記録媒体を再利用することが望ましい。また、一度記録した画像を除去した後に、再度の画像の記録が可能であれば、記録媒体への印字ミス等への対応も可能である。
【０００３】
そこで、特許文献１には、記録媒体への画像の記録と記録媒体からの画像の除去とを可逆的に行うことを可能にした記録媒体が開示されている。特許文献１には、加熱温度および／または加熱後の冷却速度の違いにより、相対的に発色した状態と消色した状態とが形成される記録媒体が開示されている。当該記録媒体では、サーマルヘッド等により一度記録媒体を加熱して急冷することにより画像が記録され、記録媒体を加熱状態から徐冷することにより画像が除去される。
【０００４】
しかし、特許文献１に開示されている記録媒体では、フルカラー印刷であったり、高解像度の印刷であったりが困難である。そこで、特許文献２には、記録媒体表面に除去可能な有機被膜を形成し、当該有機被膜の表面上に電子写真方式、熱転写方式あるいはインクジェット方式等で形成した画像を、当該有機被膜と共に除去する技術が開示されている。
【０００５】
また、特許文献３には、記録媒体の表面に樹脂成分としてヒドロキシプロピルセルロ−スを含有させた表面層を形成し、当該記録媒体の表面上に水性インクにより画像を記録した後、水で洗浄することによって、記録された画像を除去する技術が開示されている。
【０００６】
なお、特許文献４には、布帛上に、外部エネルギー線の照射により重合可能な水溶性化合物を含む捺染用インクジェットインクを印字した後、水溶性化合物に対して外部エネルギー線を照射して重合化合物を生成し、次いで未反応の重合可能な水溶性化合物および重合化合物を布帛より除去する水洗浄処理を経て画像を記録する技術が開示されている。
【０００７】
この技術は、捺染用インクジェットインクに含まれる水溶性化合物、および外部エネルギー線の照射によって生成された重合化合物を除去するものであり、布帛上に記録された画像を除去する技術とは異なる。
【先行技術文献】
【特許文献】
【０００８】
【特許文献１】特開平１０−９５１７５号公報（１９９８年４月１４日公開）
【特許文献２】特開２０００−８９６３０号公報（２０００年３月３１日公開）
【特許文献３】特開平８−３２４１０３号公報（１９９６年１２月１０日公開）
【特許文献４】特開２００６−１４４１８０号公報（２００６年６月８日公開）
【発明の概要】
【発明が解決しようとする課題】
【０００９】
しかしながら、特許文献２および３に開示されている技術では、記録媒体への画像の記録および記録媒体からの画像の除去の作業性が低い。具体的には、特許文献２に開示されている技術では、記録媒体に画像を記録するときには、記録媒体表面に有機被膜を形成した後に、当該有機被膜を乾燥させるために、当該記録媒体を４０〜１００℃で加熱する作業が必要である。そして、記録媒体から画像を除去するときには、水または有機溶剤に浸漬する作業が必要である。
【００１０】
また、特許文献３に開示されている技術では、予め記録媒体に表面層を形成する作業が必要である。そして、記録媒体から画像を除去するときには、水に浸漬する作業が必要である。
【００１１】
そこで、本発明は、上記の課題に鑑みてなされたものであり、その目的は、記録媒体上から除去可能な画像の記録および除去を良好な作業性で実現する、記録媒体上にインクジェット方式を用いて画像を形成し、形成した画像を光の照射によって定着させた後、溶媒で溶解して記録媒体上から当該画像を除去するためのインク組成物および記録媒体の再利用方法、ならびに記録媒体上にインクジェット方式を用いて形成した画像層の下地となり、形成した画像層を光の照射によって定着させた後、溶媒で溶解して記録媒体上から当該画像層を除去するためのインク組成物、インクジェット記録装置、インクジェット記録方法および記録媒体の再利用方法を提供することにある。
【課題を解決するための手段】
【００１２】
上記の課題を解決するために、本発明の一態様に係る記録媒体上にインクジェット方式を用いて画像を形成し、形成した画像を光の照射によって定着させた後、溶媒で溶解して記録媒体上から当該画像を除去するためのインク組成物（以下、単に「本発明の一態様に係るインク組成物」という。）は、光の照射を受けることで硬化し、硬化した状態で溶媒によって溶解する光硬化性化合物を含む。
【００１３】
本発明の一態様に係るインク組成物によって画像を記録媒体上に記録すれば、記録媒体上に吐出して硬化させたインク組成物を、そのまま溶媒で除去することができる。すなわち、本発明の一態様に係るインク組成物を用いれば、通常の記録工程で画像を記録できるため、除去可能な画像を記録するために通常の記録工程に加えて新たな工程が不要であり、作業工程が簡素である。また、本発明の一態様に係るインク組成物は、光によって硬化されるため、速乾性があり作業性を良好にする。
【００１４】
そして、記録媒体から画像を除去するときには、溶媒を含浸させた含浸部材で記録媒体上のインク組成物を拭き取るだけで画像を除去することができるため、記録媒体を溶媒に浸漬する工程は不要である。すなわち、記録媒体から画像を除去する作業も利用者にとって容易である。このように、本発明の一態様に係るインク組成物は、記録媒体上から容易に除去可能な画像の記録および除去を良好な作業性で実現することができる。
【００１５】
また、本発明の一態様に係るインク組成物は、連鎖移動剤をさらに含む。
【００１６】
上記の構成によれば、インクの分子量が抑えられるため、当該溶媒により溶解しやすくなり、記録媒体から画像をより除去しやすくなる。
【００１７】
また、本発明の一態様に係るインク組成物においては、上記インク組成物を溶解するための上記溶媒は、水、弱アルカリ水溶液または有機溶剤である。
【００１８】
上記の構成によれば、水、弱アルカリ水溶液または有機溶剤を含浸させた含浸部材で記録媒体上のインクを拭き取るだけで画像を除去することができる。
【００１９】
また、上記の課題を解決するために、本発明の一態様に係る記録媒体の再利用方法は、光の照射を受けることで硬化し、硬化した状態で溶媒によって溶解する光硬化性化合物を含むインクを用いて、記録媒体上にインクジェット方式で画像を形成し、形成した画像を光の照射によって定着させた後、当該インクを当該溶媒で溶解して上記記録媒体上から上記画像を除去する。
【００２０】
上記の方法によれば、溶媒を含浸させた含浸部材で記録媒体上のインクを拭き取るだけで画像を除去することができるため、記録媒体を溶媒に浸漬する工程は不要である。すなわち、記録媒体から画像を除去する作業も利用者にとって容易である。このように、本発明の一態様に係る記録媒体の再利用方法は、記録媒体上から容易に除去可能な画像の除去を良好な作業性で実現することができる。
【００２１】
さらに、上記の課題を解決するために、本発明の一態様に係る記録媒体上にインクジェット方式を用いて形成した画像層の下地となり、形成した画像層を光の照射によって定着させた後、溶媒で溶解して記録媒体上から当該画像層を除去するためのインク組成物（以下、単に「本発明の一態様に係るインク組成物」という。）は、光の照射を受けることで硬化し、硬化した状態で溶媒によって溶解する光硬化性化合物を含む。
【００２２】
本発明の一態様に係るインク組成物によって画像層の下地となるコート層を形成すれば、当該コート層上に画像層を形成して画像を記録媒体上に記録するため、記録媒体上のコート層をそのまま溶媒で除去することにより画像層も除去され、画像を除去することができる。すなわち、本発明の一態様に係るインク組成物を用いれば、通常の記録工程でコート層を形成することができるため、除去可能な画像を記録するために通常の記録工程に加えて新たな工程が不要であり、作業工程が簡素である。また、本発明の一態様に係るインク組成物は、光によって硬化されるため、速乾性があり作業性を良好にする。
【００２３】
そして、記録媒体から画像を除去するときには、溶媒を含浸させた含浸部材で記録媒体上のコート層および画像層を拭き取るだけで画像を除去することができるため、記録媒体を溶媒に浸漬する工程は不要である。すなわち、記録媒体から画像を除去する作業も利用者にとって容易である。このように、本発明の一態様に係るインク組成物は、記録媒体上から容易に除去可能な画像の記録および除去を良好な作業性で実現することができる。
【００２４】
また、本発明の一態様に係るインク組成物は、連鎖移動剤をさらに含む。
【００２５】
上記の構成によれば、インクの分子量が抑えられるため、当該溶媒により溶解しやすくなり、記録媒体から画像をより除去しやすくなる。
【００２６】
また、本発明の一態様に係るインク組成物においては、上記インク組成物を溶解させるために使用する上記溶媒は、水、弱アルカリ水溶液または有機溶剤である。
【００２７】
上記の構成によれば、水、弱アルカリ水溶液または有機溶剤を含浸させた含浸部材で記録媒体上のインクを拭き取るだけで画像を除去することができる。
【００２８】
また、上記の課題を解決するために、本発明の一態様に係るインクジェット記録装置は、光の照射を受けることで硬化し、硬化した状態で溶媒によって溶解する第１インクでコート層を記録媒体上に形成し、第２インクで画像層を当該コート層上に形成する記録ヘッドと、上記記録媒体上の上記第１インクに光を照射する照射手段と、を備える。
【００２９】
上記の構成によれば、硬化した状態で溶媒によって溶解する第１インクからなるコート層を形成し、当該コート層上に第２インクからなる画像を形成して画像を記録媒体上に記録するため、記録媒体上のコート層をそのまま溶媒で除去することにより画像層も除去され、画像を除去することができる。コート層は通常の記録工程で形成することができるため、記録工程に加えて新たな工程が不要であり、作業工程が簡素である。また、記録ヘッドから吐出される第１インクは、記録媒体上に吐出されると同時に照射手段からの光によって硬化されるため、当該第１インクを乾燥させる工程も不要である。また、硬化した状態で溶媒によって溶解する第１インクからなるコート層を記録ヘッドで印刷し、塗膜形成するため、記録する画像の有効画素の部分、または記録後除去したい画像の任意の部分にのみコート層の形成が可能である。そのため、必要な部分にのみ第１インクを使用することにより、第１インクの使用コストの削減およびコート層の除去の容易性が高まる。
【００３０】
そして、記録媒体から画像を除去するときには、溶媒を含浸させた含浸部材で記録媒体上のコート層および画像層を拭き取るだけで画像を除去することができるため、記録媒体を溶媒に浸漬する工程は不要である。すなわち、記録媒体から画像を除去する作業も利用者にとって容易である。このように、本発明の一態様に係るインクジェット記録装置は、記録媒体上から容易に除去可能な画像の記録を良好な作業性で実現することができる。
【００３１】
また、本発明の一態様に係るインクジェット記録装置においては、上記記録ヘッドは、上記画像層を網点印刷して形成する。
【００３２】
上記の構成によれば、画像層に任意の間隔で隙間が形成されていることにより、当該隙間から溶媒が入り込み、コート層まで到達しやすくなる。その結果、溶媒によってコート層をより効果的に除去することができる。
【００３３】
また、本発明の一態様に係るインクジェット記録装置においては、上記コート層の印刷範囲の大きさは、上記画像層の印刷範囲の大きさ以上である。
【００３４】
上記の構成によれば、溶媒によってコート層をより効果的に除去することができる。
【００３５】
また、上記の課題を解決するために、本発明の一態様に係るインクジェット記録方法は、光の照射を受けることで硬化し、硬化した状態で溶媒によって溶解する第１インクでコート層を記録媒体上に形成すると同時に、第２インクで画像を当該コート層上に形成する工程と、上記記録媒体上の上記第１インクに光を照射する工程と、を含む。
【００３６】
上記の方法によれば、本発明の一態様に係るインクジェット記録装置と同等の効果を奏することができる。
【００３７】
また、上記の課題を解決するために、本発明の一態様に係る記録媒体の再利用方法は、光の照射を受けることで硬化し、硬化した状態で溶媒によって溶解する光硬化性化合物を含む第１インクを用いて、記録媒体上にインクジェット方式でコート層を形成し、当該コート層上に第２インクを用いて、インクジェット方式で画像層を形成し、形成した画像層を光の照射によって定着させた後、当該コート層を当該溶媒で溶解して上記記録媒体上から上記画像層を除去する。
【００３８】
上記の方法によれば、溶媒を含浸させた含浸部材で記録媒体上の第１インク（コート層）を拭き取るだけで画像を除去することができるため、記録媒体を溶媒に浸漬する工程は不要である。すなわち、記録媒体から画像を除去する作業も利用者にとって容易である。このように、本発明の一態様に係る記録媒体の再利用方法は、記録媒体上から容易に除去可能な画像の除去を良好な作業性で実現することができる。
【発明の効果】
【００３９】
本発明は、記録媒体上から除去可能な画像の記録および除去を良好な作業性で実現することができる。
【図面の簡単な説明】
【００４０】
【図１】本発明の実施形態１に係るインクジェット記録装置の模式図である。
【図２】図中の（ａ）〜（ｃ）は、メディアに対する画像の記録から画像の除去までの工程におけるメディアの正面図および断面図である。
【図３】本発明の実施形態１に係るメディアの正面図である。
【図４】本発明の実施形態２に係るインクジェット記録装置の模式図である。
【図５】図中の（ａ）および（ｂ）は、本発明の実施形態２に係る記録ヘッドにおける各ノズル列の配置例を示す図である。
【図６】図中の（ａ）〜（ｄ）は、メディアに対する画像の記録から画像の除去までの工程におけるメディアの正面図および断面図である。
【発明を実施するための形態】
【００４１】
≪実施形態１≫
以下、本発明の実施形態１について説明する。
【００４２】
（インク組成物Ａ）
本発明に係る記録媒体上にインクジェット方式を用いて画像を形成し、形成した画像を光の照射によって定着させた後、溶媒で溶解して記録媒体上から当該画像を除去するためのインク組成物Ａ（以下、単に「本発明に係るインク組成物Ａ」という。）は、光の照射を受けることで硬化し、硬化した状態で溶媒によって溶解する光硬化性化合物を含む。
【００４３】
〔光硬化性化合物〕
光硬化性化合物としては、例えば、光で硬化（光重合）し、硬化した状態で溶媒によって溶解（分解）するモノマーが挙げられる。中でも、紫外線で硬化（光重合）し、硬化した状態で溶媒によって溶解（分解）するモノマーが挙げられる。溶解するための溶媒としては、水が、環境への負荷、扱いの容易さ等の観点から好ましいため、光硬化性化合物としては、水溶性光硬化性化合物がより好ましい。
【００４４】
水溶性光硬化性化合物としては、例えば、アミド系化合物、ポリオール、Ｃ５〜１５の水酸基含有（メタ）アクリレート、数平均分子量２００〜１０００の水酸基含有（メタ）アクリレート、炭素数２〜３のアルキル基を有するＮ，Ｎ−ジメチルアルキル（メタ）アクリレート、並びにこれらの塩、多価アルコールの（メタ）アクリル酸エステル、多価アルコールのグリシジルエーテルの（メタ）アクリル酸エステル、ポリエチレングリコールの（メタ）アクリル酸エステル、多価アルコールのエチレンオキシド付加化合物の（メタ）アクリル酸エステル、多塩基酸無水物と水酸基含有（メタ）アクリル酸エステルとの反応物、モルホリンアクリレート、エトキシ化ポリプロピレングリコール、＃７００ジメタクリレート、エトキシ化グリセリントリアクリレート、エトキシ化ペンタエリスリトールテトラアクリレート、ポリエチレングリコール＃４００ジアクリレート、ポリエチレングリコール＃６００ジアクリレート、アクリロイルモルフォリン等が挙げられる。
【００４５】
以上に例示した中でも、アミド系化合物が好ましく、ビニル基を１つ有するアクリルアミド系化合物であって、（メタ）アクリルアミドである化合物およびそのＮ−置換体、からなる群より選ばれる少なくとも１種であることがより好ましい。ビニル基を１つ有するアクリルアミド系化合物であって、（メタ）アクリルアミドである化合物およびそのＮ−置換体、からなる群は、メディアに対する接着性がより高く、且つ、水への溶解性が極めて高いので、メディアへの樹脂の残存量をより低減できる。
【００４６】
印刷を施したメディアを屋外等、水に濡れる可能性のある場所で用いる場合には、硬化後に弱アルカリ水溶液または有機溶剤で溶解する光硬化性樹脂を用いることが好ましい。
【００４７】
〔硬化後のインク組成物Ａを溶解するための溶媒〕
本発明に係るインク組成物Ａを溶解するための溶媒は、光で硬化した状態のインク組成物Ａを溶解するものである。例えば、水、弱アルカリ水溶液または有機溶剤等が挙げられる。弱アルカリ水溶液としては、炭酸水素ナトリウム水溶液または苛性ソーダ水溶液等を用いることができ、有機溶剤としては、エタノールまたはイソプロピルアルコール等のアルコール類等を用いることができる。
【００４８】
〔連鎖移動剤〕
本発明に係るインク組成物Ａに含まれる連鎖移動剤は、重合体の分子量を調節できる化合物であれば特に限定されない。連鎖移動剤を配合することにより、インク組成物Ａを照射して光硬化させるときに、硬化物の分子量が過大になるのを抑制して、硬化物の水溶性が改善される。
【００４９】
連鎖移動剤の好ましい具体例としては、２−メルカプトベンゾチアゾール、γ−メルカプトキシプロピルトリメトキシシラン等のチオール化合物、２，４−ジフェニル−４−メチル−ペンテン等を挙げることができる。
【００５０】
連鎖移動剤は、本発明に係るインク組成物Ａ中に、インク全量１００質量％に対して、好ましくは０．１〜５質量％、さらに好ましくは０．２〜４質量％、特に好ましくは０．３〜３質量％配合することが好ましい。これは、硬化物の水溶性を良好とするためである。
【００５１】
〔着色剤〕
本発明に係るインク組成物Ａは、所望の色を表現するための着色剤を含んでもよい。着色剤としては、公知の顔料、染料が挙げられる。顔料としては、例えば、イエロー、マゼンダ、シアン、カーボンブラック等の公知の顔料が挙げられる。
【００５２】
〔光硬化開始剤〕
本発明に係るインク組成物Ａに含まれる光硬化開始剤は、光が照射されることによって、光硬化性化合物の硬化を開始させるものであればよく、例えば、光重合開始剤が挙げられる。光重合開始剤としては、光が照射されることによって、光硬化性化合物の重合を開始させるものであれば、特に限定されない。光重合開始剤の使用法として、光重合開始剤を一種類使用してもよく、二種類以上使用してもよく、光重合開始剤と増感剤とを使用してもよい。主な光重合開始剤および増感剤の選定、組合せおよび配合比は、使用する光硬化性化合物および使用装置等によって適宜選定すればよい。
【００５３】
光重合開始剤の主なものとしては、１−ヒドロキシシクロヘキシルフェニルケトン、２，２−ジメトキシ−２−フェニルアセトフェノン、キサントン、フルオレノン、ベンズアルデヒド、フルオレン、アントラキノン、トリフェニルアミン、カルバゾール、３−メチルアセトフェノン、４−クロロベンゾフェノン、４，４’−ジメトキシベンゾフェノン、４，４’−ジアミノベンゾフェノン、ミヒラーケトン、ベンゾインプロピルエーテル、ベンゾインエチルエーテル、ベンジルジメチルケタール、１−（４−イソプロピルフェニル）−２−ヒドロキシ−２−メチルプロパン−１−オン、２−ヒドロキシ−２−メチル−１−フェニルプロパン−１−オン、チオキサントン、ジエチルチオキサントン、２−イソプロピルチオキサントン、２−クロロチオキサントン、２−メチル−１−〔４−（メチルチオ）フェニル〕−２−モルホリノ−プロパン−１−オン、２，４，６−トリメチルベンゾイルジフェニルフォスフィンオキサイド、ビス−（２，６−ジメトキシベンゾイル）−２，４，４−トリメチルペンチルフォスフィンオキシド、ビス（２，４，６−トリメチルベンゾイル）−フェニルフォスフィンオキサイド等が挙げられる。
【００５４】
〔その他の成分〕
本発明に係るインク組成物Ａは、上述の光硬化性化合物、光硬化開始剤および連鎖移動剤以外の成分を含み得る。例えば、増感剤等添加剤、水溶性溶剤が挙げられる。
【００５５】
〔増感剤〕
増感剤は、光硬化開始剤の反応を開始させることが可能なものであれば、特に限定されない。
【００５６】
増感剤の主なものとしては、アミン系（脂肪族アミン、芳香族基を含むアミン、ピペリジン等）、尿素（アリル系、ｏ−トリルチオ尿素等）、イオウ化合物（ナトリウムジエチルジチオホスフェート、芳香族スルフィン酸の可溶性塩等）、ニトリル系化合物（Ｎ ，Ｎ，ジ置換ｐアミノベンゾニトリル等）、リン化合物（トリｎブチルホスフィン、ネトリウムジエチルジチオホスフィード等）、窒素化合物（ミヒラーケトン、Ｎニトリソヒドロキシルアミン誘導体、オキサゾリジン化合物、テトラヒドロ１，３オキサジン化合物、ホルムアルデヒドまたはアセトアルデヒドとジアミンの縮合物等）、塩素化合物（四塩化炭素、ヘキサクロロエタン等）、エポキシ樹脂とアミンの反応生成物の高分子化アミン、トリエタノールアミントリアクリレート等が挙げられる。
【００５７】
〔添加剤〕
これまで説明した成分以外の添加剤としては、公知の界面活性剤、防腐剤、防黴剤、ｐＨ調整剤、粘度調整剤、分散剤等を必要に応じて添加すればよい。
【００５８】
界面活性剤としては、陽イオン性、陰イオン性、両性、非イオン性のいずれも用いることができる。陽イオン性界面活性剤としては、脂肪族アミン塩、脂肪族４級アンモニウム塩、ベンザルコニウム塩、塩化ベンゼトニウム、ピリジニウム塩、イミダゾリニウム塩等が挙げられる。
【００５９】
陰イオン性界面活性剤としては、脂肪酸石鹸、Ｎ−アシル−Ｎ−メチルグリシン塩、Ｎ−アシル−Ｎ−メチル−β−アラニン塩、Ｎ−アシルグルタミン酸塩、アルキルエーテルカルボン酸塩、アシル化ペプチド、アルキルスルホン酸塩、アルキルベンゼンスルホン酸塩、アルキルナフタレンスルホン酸塩、ジアルキルスルホ琥珀酸エステル塩、アルキルスルホ酢酸塩、α−オレフィンスルホン酸塩、Ｎ−アシルメチルタウリン、硫酸化油、高級アルコール硫酸エステル塩、第２ 級高級アルコール硫酸エステル塩、アルキルエーテル硫酸塩、第２級高級アルコールエトキシサルフェート、ポリオキシエチレンアルキルフェニルエーテル硫酸塩、モノグリサルフェート、脂肪酸アルキロールアミド硫酸エステル塩、アルキルエーテルリン酸エステル塩、アルキルリン酸エステル塩等が挙げられる。
【００６０】
両性界面活性剤としては、カルボキシベタイン型、スルホベタイン型、アミノカルボン酸塩、イミダゾリニウムベタイン等が挙げられる。
【００６１】
非イオン性界面活性剤としては、ポリオキシエチレンアルキルエーテル、ポリオキシエチレン２級アルコールエーテル、ポリオキシエチレンアルキルフェニルエーテル（たとえばエマルゲン９１１）、ポリオキシエチレンステロールエーテル、ポリオキシエチレンラノリン誘導体、ポリオキシエチレンポリオキシプロピレンアルキルエーテル（たとえばニューポールＰＥ−６２）、ポリオキシエチレングリセリン脂肪酸エステル、ポリオキシエチレンヒマシ油、硬化ヒマシ油、ポリオキシエチレンソルビタン脂肪酸エステル、ポリオキシエチレンソルビトール脂肪酸エステル、ポリエチレングリコール脂肪酸エステル、脂肪酸モノグリセリド、ポリグリセリン脂肪酸エステル、ソルビタン脂肪酸エステル、プロピレングリコール脂肪酸エステル、ショ糖脂肪酸エステル、脂肪酸アルカノールアミド、ポリオキシエチレン脂肪酸アミド、ポリオキシエチレンアルキルアミン、アルキルアミンオキサイド、アセチレングリコール、アセチレンアルコール等が挙げられる。
【００６２】
これらの界面活性剤を使用する場合、単独又は２種類以上を混合して用いることができる。また、インク全量に対して、例えば０．００１〜１．０質量％の範囲で添加することにより、インク組成物Ａの表面張力を任意に調整することができ好ましい。
【００６３】
インク組成物Ａの長期保存安定性を保つため、防腐剤、防黴剤をインク組成物Ａ中に添加してもかまわない。防腐剤、防黴剤としては、芳香族ハロゲン化合物（例えばＰｒｅｖｅｎｔｏｌ  ＣＭＫ）、メチレンジチオシアナート、含ハロゲン窒素硫黄化合物、１，２−ベンズイソチアゾリン−３−オン（例えばＰＲＯＸＥＬ  ＧＸＬ）等が挙げられる。本発明はこれらに限定されるものではない。
【００６４】
本発明に係るインク組成物Ａが分散染料を含む形態において、分散染料は、分散剤、湿潤剤、媒体および任意の添加剤と混合し、分散機を用いることで分散させられる。
【００６５】
分散染料の分散に好ましい湿潤剤は、ドデシルベンゼンスルホン酸ナトリウム、２−エチルへキシルスルホ琥珀酸ナトリウム、アルキルナフタレンスルホン酸ソーダ、フェノールの酸化エチレン付加物、アセチレンジオールの酸化エチレン付加物等である。
【００６６】
分散剤としては、例えば、クレオソート油スルホン酸ナトリウムのホルマリン縮合物（例えばデモールＣ）、クレゾールスルホン酸ナトリウムと２−ナフトール−６−スルホン酸ナトリウムのホルマリン縮合物、クレゾールスルホン酸ナトリウムのホルマリン縮合物、フェノールスルホン酸ナトリウムのホルマリン縮合物、β−ナフトールスルホン酸ナトリウムのホルマリン縮合物、β−ナフタリンスルホン酸ナトリウム（例えばデモールＮ）とβ−ナフトールスルホン酸ナトリウムのホルマリン縮合物、リグニンスルホン酸塩（例えばバニレックスＲＮ）、パラフィンスルホン酸ナトリウム（例えばエフコール２１４）、α−オレフィンと無水マレイン酸の共重合物（例えばフローレンＧ−７００）等が挙げられる。これらの分散剤は単独で使用してもよいが併用してもよい。
【００６７】
（インクジェット記録装置１）
以下、本発明に係るインク組成物Ａを吐出するためのインクジェット記録装置の一実施形態について、図１を用いて説明する。図１は、インクジェット記録装置１の模式図である。
【００６８】
インクジェット記録装置１はＹバー５およびキャリッジ１０を備えている。インクジェット記録装置１は、メディアＭ（記録媒体）に対して記録を行なうものであり、図１ではメディアＭが載置台（図示せず）に載置されている。
【００６９】
〔Ｙバー５〕
Ｙバー５は一方向に延在している。Ｙバー５が延在する方向はインクジェット記録装置１の主走査方向である。換言すれば、主走査方向とは載置台の面方向に平行な一方向である。なお、主走査方向に垂直であって、載置台の面方向に平行な方向が副走査方向である。メディアＭは副走査方向に搬送される。
【００７０】
〔キャリッジ１０〕
キャリッジ１０はＹバー５に取り付けられており、主走査方向に往復移動をする。これにより、キャリッジ１０は載置台に対して相対的に移動し、その結果、後述する記録ヘッド１１が載置台に対して相対的に移動する。本実施形態では、主走査方向においては、記録ヘッド１１が移動し、メディアＭは主走査方向に移動しない形態について説明する。しかし、本発明はこれに限定されるものではなく、記録ヘッド１１が固定されており、メディアＭが主走査方向に往復移動するものであってもよい。
【００７１】
キャリッジ１０は、記録ヘッド１１、左照射部１２Ａ（照射手段）、および右照射部１２Ｂ（照射手段）を備えている。
【００７２】
〔記録ヘッド１１〕
記録ヘッド１１はメディアＭに対してインクを吐出するものである。具体的には、記録ヘッド１１には複数のノズル列が形成されている。各ノズル列には、複数のノズルが形成されており、各ノズルからインクが吐出される。
【００７３】
インクとしては、後述する左照射部１２Ａおよび右照射部１２Ｂにより照射される光で硬化し、硬化した状態で溶媒によって溶解されるものであればよく、上述の本発明に係るインク組成物Ａが好適に用いられる。
【００７４】
溶媒による溶解性を高めるために、インクには連鎖移動剤を添加してもよい。連鎖移動剤により、インクの分子量が抑えられるため、溶媒により溶解しやすくなる。
【００７５】
〔左照射部１２Ａおよび右照射部１２Ｂ〕
左照射部１２Ａおよび右照射部１２Ｂは、記録ヘッド１１より吐出されたインクに光を照射するためのものである。記録ヘッド１１から吐出されたインクは、左照射部１２Ａおよび右照射部１２Ｂから照射された光により硬化する。光としては、記録ヘッド１１から吐出されたインクを硬化させるものであればよい。例えば、インクが紫外線硬化型インクである場合には、左照射部１２Ａおよび右照射部１２Ｂは、紫外線を照射することが好ましい。
【００７６】
左照射部１２Ａおよび右照射部１２Ｂは、主走査方向に並び、かつ、左照射部１２Ａと右照射部１２Ｂとの間に記録ヘッド１１が配置されるように、配置されている。これにより、左照射部１２Ａおよび右照射部１２Ｂは、記録ヘッド１１の移動方向と同方向、すなわち主走査方向に移動する。
【００７７】
〔メディア〕
メディアＭについては、画像除去時に使用するインク組成物Ａの光硬化性樹脂を溶解させる溶媒によって、メディアＭを劣化させない素材またはメディアＭを侵さない素材であればよく、材料について限定はない。
【００７８】
（画像の記録および画像の除去）
以下、インクジェット記録装置１によるインクジェット記録方法およびインク除去方法について、図２を参照して詳細に説明する。図２の（ａ）〜（ｃ）は、メディアＭに対する画像の記録から画像の除去までの工程におけるメディアＭの正面図および断面図である。
【００７９】
まず、メディアＭが載置台上に搬送されると、キャリッジ１０をＹバー５に沿って主走査方向へ往復移動させながら、記録ヘッド１１の下面に形成されたノズルからインクＩとして本発明に係るインク組成物Ａを吐出させて、所望のパターンでメディアＭに付着させる。
【００８０】
この走査が行われているとき、キャリッジ１０に搭載された左照射部１２Ａおよび右照射部１２Ｂが光を照射している。これにより、記録ヘッド１１から吐出されたインクＩの硬化が進み、当該インクＩがメディアＭに対して十分に定着した状態になる。換言すれば、例えば看板等、製造する印刷物が所望の目的に使用できる程度に、インクＩがメディアＭに定着するようにインクＩを硬化させる。
【００８１】
この走査が終わり、図２の（ａ）に示すように、メディアＭ上に所望の画像が形成されると、メディアＭは載置台上から搬送される。以上までがインクジェット記録装置１によるインクジェット記録方法である。
【００８２】
続いて、メディアＭ上に形成した画像を除去する場合は、図２の（ｂ）に示すように、溶媒を含浸させた含浸部材（例えば、布等）を用いて、メディアＭ上のインクＩを拭き取る。これにより、含浸部材に含浸された溶媒が、メディアＭ上に定着しているインクＩを溶解するため、当該インクＩがメディアＭ上から除去される。除去の際に、必要に応じて溶媒によるインクＩの溶解度を上げるために、溶媒の温度を３０℃から溶媒の沸点よりも低い温度までに昇温するとよい。このようにして、メディアＭ上からインクＩを完全に除去することにより、図２の（ｃ）に示すように、メディアＭ上から画像が除去され、メディアＭを再利用することができる。これは、本発明に係る再利用方法の一実施形態である。
【００８３】
このように、インクジェット記録装置１では、メディアＭへの画像の記録およびメディアＭからの画像の除去の作業性が高い。具体的には、硬化した状態で溶媒によって溶解するインクによって画像をメディアＭ上に記録するため、メディアＭ上に吐出して硬化させたインクを、そのまま溶媒で除去することができる。すなわち、硬化した状態で溶媒によって溶解するインクを用いて通常の記録工程で画像を記録できるため、通常の記録工程に加えて新たな工程が不要であり、作業工程が簡素である。また、記録ヘッド１１から吐出されるインクは、メディアＭ上に吐出されると同時に左照射部１２Ａおよび右照射部１２Ｂからの光によって硬化されるため、速乾性があり作業性が良好である。さらに、当該インクを乾燥させる工程も不要である。
【００８４】
そして、メディアＭから画像を除去するときには、溶媒を含浸させた含浸部材でメディアＭ上のインクを拭き取るだけで画像を除去することができるため、メディアＭを溶媒に浸漬する工程は不要である。すなわち、メディアＭから画像を除去する作業も利用者にとって容易である。このように、インクジェット記録装置１は、メディアＭ上から容易に除去可能な画像の記録および除去を良好な作業性で実現することができる。
【００８５】
このようなインクジェット記録方法を用いれば、特定の溶媒によって画像を取り除くことができるため、画像の除去と保存とを自在に行うことができる。特に、記録した画像を短期的に描き直す場合に好適に利用できる。また、メディアＭから画像を除去すれば、当該メディアＭを再利用することができるため環境に優しい。また、メディアＭを再利用することができるため、高価な基材をメディアＭとして利用することもできる。
【００８６】
（使用例）
以上では、メディアＭ上にインクＩのみで画像を記録する形態を示したが、本発明は必ずしもこれに限定されるわけではない。例えば、メディアＭ上の一部の領域はインクＩで画像を記録し、残りの領域は他のインク、すなわち光によって硬化した状態で溶媒によって溶解されないインクで画像を記録してもよい。換言すれば、１つもメディアＭ上において、インクＩを含む材質の異なる複数種類のインクで画像を形成してもよい。
【００８７】
例えば、図３に示すようなメディアの場合、メディア上の第１領域１５ａおよび第２領域１５ｂの画像をインクＩで記録し、残りの領域の画像を他のインク（光によって硬化した状態で溶媒によって溶解されないインク）で記録する。
【００８８】
これにより、第１領域１５ａおよび第２領域１５ｂの画像は、特定の溶媒によって取り除くことができるため、第１領域１５ａおよび第２領域１５ｂの画像を描き替えることができるようになる。例えば、第１領域１５ａに記載の「××商会」という文字列を他の文字列（例えば、別の商会名）に描き替えることができる。また、第２領域１５ｂに記載のりんごの画像を他の画像（例えば、別の食材の画像）に描き替えることができる。
【００８９】
このように、メディア上の一部の領域の画像のみを描き直すような場合にも、インクＩを好適に利用できる。この場合もメディアを再利用することができるため環境に優しい。
【００９０】
（まとめ）
本発明の一態様に係る記録媒体上にインクジェット方式を用いて画像を形成し、形成した画像を光の照射によって定着させた後、溶媒で溶解して記録媒体上から当該画像を除去するためのインク組成物Ａ（以下、単に「本発明の一態様に係るインク組成物Ａ」という。）は、光の照射を受けることで硬化し、硬化した状態で溶媒によって溶解する光硬化性化合物を含む。
【００９１】
本発明の一態様に係るインク組成物Ａによって画像を記録媒体上に記録すれば、記録媒体上に吐出して硬化させたインク組成物Ａを、そのまま溶媒で除去することができる。すなわち、本発明の一態様に係るインク組成物Ａを用いれば、通常の記録工程で画像を記録できるため、除去可能な画像を記録するために通常の記録工程に加えて新たな工程が不要であり、作業工程が簡素である。また、本発明の一態様に係るインク組成物Ａは、光によって硬化されるため、速乾性があり作業性が良好である。
【００９２】
そして、記録媒体から画像を除去するときには、溶媒を含浸させた含浸部材で記録媒体上のインク組成物Ａを拭き取るだけで画像を除去することができるため、記録媒体を溶媒に浸漬する工程は不要である。すなわち、記録媒体から画像を除去する作業も利用者にとって容易である。このように、本発明の一態様に係るインク組成物Ａは、記録媒体上から容易に除去可能な画像の記録および除去を良好な作業性で実現することができる。
【００９３】
また、本発明の一態様に係るインク組成物Ａは、連鎖移動剤をさらに含む。
【００９４】
上記の構成によれば、インクの分子量が抑えられるため、当該溶媒により溶解しやすくなり、記録媒体から画像をより除去しやすくなる。
【００９５】
また、本発明の一態様に係るインク組成物Ａにおいては、上記インク組成物Ａを溶解するための上記溶媒は、水、弱アルカリ水溶液または有機溶剤である。
【００９６】
上記の構成によれば、水、弱アルカリ水溶液または有機溶剤を含浸させた含浸部材で記録媒体上のインクを拭き取るだけで画像を除去することができる。
【００９７】
また、本発明の一態様に係る記録媒体の再利用方法は、光の照射を受けることで硬化し、硬化した状態で溶媒によって溶解する光硬化性化合物を含むインクを用いて、記録媒体上にインクジェット方式で画像を形成し、形成した画像を光の照射によって定着させた後、当該インクを当該溶媒で溶解して上記記録媒体上から上記画像を除去する。
【００９８】
上記の方法によれば、溶媒を含浸させた含浸部材で記録媒体上のインクを拭き取るだけで画像を除去することができるため、記録媒体を溶媒に浸漬する工程は不要である。すなわち、記録媒体から画像を除去する作業も利用者にとって容易である。このように、本発明の一態様に係る記録媒体の再利用方法は、記録媒体上から容易に除去可能な画像の除去を良好な作業性で実現することができる。
【００９９】
≪実施形態２≫
以下、本発明の実施形態２について説明する。
【０１００】
（インク組成物Ｂ）
本発明に係る記録媒体上にインクジェット方式を用いて形成した画像層の下地となり、形成した画像層を光の照射によって定着させた後、溶媒で溶解して記録媒体上から当該画像層を除去するためのインク組成物Ｂ（以下、単に「本発明に係るインク組成物Ｂ」という。）は、光の照射を受けることで硬化し、硬化した状態で溶媒によって溶解する光硬化性化合物を含む。
【０１０１】
〔光硬化性化合物〕
インク組成物Ｂに含まれる光硬化性化合物の説明は、実施形態１に準ずる。
【０１０２】
〔硬化後のインク組成物Ｂを溶解するための溶媒〕
本発明に係るインク組成物Ｂを溶解するための溶媒は、光で硬化した状態のインク組成物Ｂを溶解するものである。当該溶媒の説明は、実施形態１におけるインク組成物Ａを溶解するための溶媒の説明に準ずる。
【０１０３】
〔連鎖移動剤〕
本発明に係るインク組成物Ｂに含まれる連鎖移動剤の説明は、実施形態１に準ずる。
【０１０４】
〔着色剤〕
本発明に係るインク組成物Ｂは、所望の色を表現するための着色剤を含んでもよい。着色剤としては、公知の顔料、染料が挙げられる。ただし、画像層の下地として、画像層の発色を損なわないようにすることが好ましい。そのため、顔料としては、例えば、ホワイト、パールが好ましい。また、銀、アルミニウム等の金属粉末等を混合して、メタリックインクとしてもよい。また、着色剤を含ませずに、クリアインクとしてもよい。また、記録する画像、または印刷が施されるメディア（記録媒体）の背景色等の色を有してもよい。なお、本明細書において「画像層の下地」とは、メディア上に形成されるコート層であり、当該コート層の上に画像層が形成される。
【０１０５】
〔光硬化開始剤〕
本発明に係るインク組成物Ｂに含まれる光硬化開始剤の説明は、実施形態１に準ずる。
【０１０６】
〔その他の成分〕
本発明に係るインク組成物Ｂは、上述の光硬化性化合物、光硬化開始剤および連鎖移動剤以外の成分を含み得る。その他の成分についての説明は、実施形態１に準ずる。
【０１０７】
（インクジェット記録装置２１）
以下、本発明に係るインクジェット記録装置の一実施形態について、図４を用いて説明する。図４は、インクジェット記録装置２１の模式図である。
【０１０８】
インクジェット記録装置２１はＹバー２５およびキャリッジ３０を備えている。インクジェット記録装置２１は、メディアＭ（記録媒体）に対して記録を行なうものであり、図４ではメディアＭが載置台（図示せず）に載置されている。
【０１０９】
〔Ｙバー２５〕
Ｙバー２５は一方向に延在している。Ｙバー２５が延在する方向はインクジェット記録装置２１の主走査方向である。換言すれば、主走査方向とは載置台の面方向に平行な一方向である。なお、主走査方向に垂直であって、載置台の面方向に平行な方向が副走査方向である。メディアＭは副走査方向に搬送される。
【０１１０】
〔キャリッジ３０〕
キャリッジ３０はＹバー２５に取り付けられており、主走査方向に往復移動をする。これにより、キャリッジ３０は載置台に対して相対的に移動し、その結果、後述する記録ヘッド３１が載置台に対して相対的に移動する。本実施形態では、主走査方向においては、記録ヘッド３１が移動し、メディアＭは主走査方向に移動しない形態について説明する。しかし、本発明はこれに限定されるものではなく、記録ヘッド３１が固定されており、メディアＭが主走査方向に往復移動するものであってもよい。
【０１１１】
キャリッジ３０は、記録ヘッド３１、左照射部３２Ａ（照射手段）、および右照射部３２Ｂ（照射手段）を備えている。
【０１１２】
〔記録ヘッド３１〕
記録ヘッド３１はメディアＭに対して、インクを吐出するものである。具体的には、記録ヘッド３１には複数のノズル列が形成されている。各ノズル列には、複数のノズルが形成されており、各ノズルからインクが吐出される。記録ヘッド３１は、光の照射を受けることで硬化し、コート層を形成するための第１インクを吐出するノズル列と、光の照射を受けることで硬化し、画像層を形成するための第２インクを吐出するノズル列とを有している。
【０１１３】
図５の（ａ）および（ｂ）に、記録ヘッド３１における各ノズル列の配置例を示す。例えば、図５の（ａ）に示すように、第１インクを吐出する複数のノズル列Ｎ１と、第２インクを吐出する複数のノズル列Ｎ２とを、主走査方向に沿って配列してもよい。この場合、記録ヘッド３１の主走査方向の往動時にノズル列Ｎ１から第１インクを吐出し、復動時にノズル列Ｎ２から第２インクを吐出することにより、メディアＭの表面にコート層と画像層とが形成される。
【０１１４】
あるいは、図５の（ｂ）に示すように、第１インクを吐出する複数のノズル列Ｎ１および第２インクを吐出する複数のノズル列Ｎ２を副走査方向に分けて配置し、複数のノズル列Ｎ１および複数のノズル列Ｎ２それぞれについて、ノズル列を主走査方向に沿って配列してもよい。この場合、パス幅分ずつメディアＭが副走査方向に順次搬送されることにより、メディアＭの表面にコート層と画像層とが同時に形成される。
【０１１５】
記録ヘッド３１では、キャリッジ３０の移動に伴い、各ノズル列から第１インクおよび第２インクが吐出されると共に、後述する左照射部３２Ａおよび右照射部３２Ｂから光が出射されることにより、メディアＭの表面に塗布された第１インクが硬化してコート層が形成され、このコート層の表面に塗布された第２インクが硬化して画像層が形成される。
【０１１６】
第１インクとしては、後述する左照射部３２Ａおよび右照射部３２Ｂにより照射される光で硬化し、硬化した状態で溶媒によって溶解されるものであればよく、上述の本発明に係るインク組成物Ｂを好適に用いられる。なお、第１インクの色としては、クリア、ホワイト、パール、メタリック、または画像あるいはメディアＭの背景色等を適用可能である。
【０１１７】
第２インクとしては、第１インクと同様に、後述する左照射部３２Ａおよび右照射部３２Ｂにより照射される光で硬化するものを用いることができる。例えば、光で硬化する光硬化性化合物を含んだ光硬化型インクを用いることができる。光硬化型インクとしては、例えば紫外線硬化性化合物を含んだ紫外線硬化型インクが挙げられる。
【０１１８】
ただし、第２インクは光硬化型インクに限定されない。例えば、水溶性インク、樹脂が水または有機溶媒に乳濁または懸濁しているラテックスインク、有機溶媒を含むソルベントＵＶインク（ＳＵＶインク）、またはソルベントインク等も好適に使用可能である。
【０１１９】
第２インクは、所望の色を表現するための着色剤を含み得る。着色剤としては、公知の顔料、染料が挙げられる。顔料としては、例えば、イエロー、マゼンダ、シアン、カーボンブラック等の公知の顔料が挙げられる。
【０１２０】
溶媒による溶解性を高めるために、第１インクには連鎖移動材を添加してもよい。連鎖移動剤により、第１インクの分子量が抑えられるため、溶媒により溶解しやすくなる。
【０１２１】
〔左照射部３２Ａおよび右照射部３２Ｂ〕
左照射部３２Ａおよび右照射部３２Ｂは、記録ヘッド３１より吐出された第１インク（または、第１インクおよび第２インク）に光を照射するためのものである。記録ヘッド３１から吐出された第１インク（または、第１インクおよび第２インク）は、左照射部３２Ａおよび右照射部３２Ｂから照射された光により硬化する。光としては、記録ヘッド３１から吐出された第１インク（または、第１インクおよび第２インク）を硬化させるものであればよい。例えば、第１インク（または、第１インクおよび第２インク）が紫外線硬化型インクである場合には、左照射部３２Ａおよび右照射部３２Ｂは、紫外線を照射することが好ましい。
【０１２２】
左照射部３２Ａおよび右照射部３２Ｂは、主走査方向に並び、かつ、左照射部３２Ａと右照射部３２Ｂとの間に記録ヘッド３１が配置されるように、配置されている。これにより、左照射部３２Ａおよび右照射部３２Ｂは、記録ヘッド３１の移動方向と同方向、すなわち主走査方向に移動する。
【０１２３】
〔メディア〕
メディアＭについては、画像除去時に使用する第１インク（コート層）の光硬化性樹脂を溶解させる溶媒によって、メディアＭを劣化させない素材またはメディアＭを侵さない素材であればよく、材料について限定はない。
【０１２４】
（画像の記録および画像の除去）
以下、インクジェット記録装置２１によるインクジェット記録方法およびインク除去方法について、図６を参照して詳細に説明する。図６の（ａ）〜（ｄ）は、メディアＭに対する画像の記録から画像の除去までの工程におけるメディアＭの正面図および断面図である。
【０１２５】
まず、メディアＭが載置台上に搬送されると、キャリッジ３０をＹバー２５に沿って主走査方向へ往復移動させながら、記録ヘッド３１の下面に形成されたノズルから第１インクＣとして本発明に係るインク組成物Ｂを吐出させて、所望のパターンでメディアＭに付着させる。具体的には、図６の（ａ）に示すように、記録ヘッド３１によりメディアＭの表面に第１インクＣが塗布されてコート層が形成される。
【０１２６】
この走査が行われているとき、キャリッジ３０に搭載された左照射部３２Ａおよび右照射部３２Ｂが光を照射している。これにより、記録ヘッド３１から吐出された第１インクＣの硬化が進み、第１インクＣがメディアＭに対して十分に定着した状態になる。換言すれば、例えば看板等、製造する印刷物が所望の目的に使用できる程度に、第１インクＣがメディアＭに定着するように第１インクＣを硬化させる。
【０１２７】
続いて、記録ヘッド３１の下面に形成されたノズルから画像層を形成するための第２インクＩ’を吐出させて、所望のパターンでコート層上に付着させる。具体的には、図６の（ｂ）に示すように、記録ヘッド３１によりコート層の表面に第２インクＩ’が塗布されて画像層が形成される。
【０１２８】
この走査が行われているとき、キャリッジ３０に搭載された左照射部３２Ａおよび右照射部３２Ｂが光を照射している。これにより、記録ヘッド３１から吐出された第２インクＩ’の硬化が進み、第２インクＩ’がメディアＭに対して十分に定着した状態になる。換言すれば、上記印刷物が所望の目的に使用できる程度に第２インクＩ’がメディアＭに定着するように第２インクＩ’を硬化させる。
【０１２９】
なお、上述したように、記録ヘッド３１では、コート層および画像層の同時印刷に対応することができる。パス幅分ずつメディアＭが副走査方向に順次搬送されることにより、メディアＭの表面に第１インクを塗布してコート層を形成し、このコート層の表面に第２インクを塗布して画像層を同時に形成してもよい。
【０１３０】
以上の走査が終わり、図６の（ｂ）に示したように、メディアＭ上に所望の画像が形成されると、メディアＭは載置台上から搬送される。以上までがインクジェット記録装置２１によるインクジェット記録方法である。
【０１３１】
ここで、図６の（ａ）に示したように、コート層の印刷範囲Ｓ１は、画像層の印刷範囲Ｓ２（画像層の有効画素の範囲）以上の大きさを有していることが好ましい。また、コート層は、ベタ印刷（１００％以上）で形成され、厚みが１μｍ以上であることが好ましく、層数は１層以上であることが好ましい。これにより、溶媒によってコート層をより効果的に除去することができる。
【０１３２】
画像層は、網点印刷で形成することにより、任意の間隔で隙間を空けて形成されることが好ましい。任意の間隔とは、例えばインクジェット記録装置２１の解像度の１／２程度の間隔である。画像層に任意の間隔で隙間が形成されていることにより、当該隙間から溶媒が入り込み、コート層まで到達しやすくなる。その結果、溶媒によってコート層をより効果的に除去することができる。
【０１３３】
続いて、メディアＭ上に形成した画像を除去する場合は、図６の（ｃ）に示すように、溶媒を含浸させた含浸部材（例えば、布等）を用いて、メディアＭ上のコート層および画像層を拭き取る。これにより、含浸部材に含浸された溶媒が、メディアＭ上に定着している第１インクＣにまで到達し、当該第１インクＣを溶解するため、コート層および画像層がメディアＭ上から除去される。除去の際に、必要に応じて溶媒による第１インクＣ（コート層）の溶解度を上げるために、溶媒の温度を３０℃から溶媒の沸点よりも低い温度までに昇温するとよい。このようにして、メディアＭ上からコート層および画像層を完全に除去することにより、図６の（ｄ）に示すように、メディアＭ上から画像が除去され、メディアＭを再利用することができる。
【０１３４】
このように、本実施形態に係るインクジェット記録装置２１では、メディアＭへの画像の記録およびメディアＭからの画像の除去の作業性が高い。具体的には、硬化した状態で溶媒によって溶解する第１インクＣからなるコート層を形成し、当該コート層上に第２インクＩ’からなる画像を形成して画像をメディアＭ上に記録するため、メディアＭ上のコート層をそのまま溶媒で除去することにより画像層も除去され、画像を除去することができる。すなわち、コート層は通常の記録工程で形成することができるため、除去可能な画像を記録するために通常の記録工程に加えて新たな工程が不要であり、作業工程が簡素である。また、記録ヘッド３１から吐出される第１インクＣは、メディアＭ上に吐出されると同時に左照射部３２Ａおよび右照射部３２Ｂからの光によって硬化されるため、速乾性があり作業性を良好にする。さらに、当該第１インクＣを乾燥させる工程も不要である。また、硬化した状態で溶媒によって溶解する第１インクＣからなるコート層を記録ヘッド３１で印刷し、塗膜形成するため、記録する画像の有効画素の部分、または記録する画像の任意の部分にのみコート層の形成が可能である。そのため、必要な部分にのみ第１インクＣを使用することにより、第１インクＣの使用コストの削減およびコート層の除去の容易性が高まる。
【０１３５】
そして、メディアＭから画像を除去するときには、溶媒を含浸させた含浸部材でメディアＭ上のコート層および画像層を拭き取るだけで画像を除去することができるため、メディアＭを溶媒に浸漬する工程は不要である。すなわち、メディアＭから画像を除去する作業も利用者にとって容易である。このように、本実施形態に係るインクジェット記録装置２１は、メディアＭ上から容易に除去可能な画像の記録および除去を良好な作業性で実現することができる。
【０１３６】
このようなインクジェット記録方法を用いれば、特定の溶媒によって画像を取り除くことができるため、画像の除去と保存とを自在に行うことができる。特に、記録した画像を短期的に描き直す場合に好適に利用できる。また、メディアＭから画像を除去すれば、当該メディアＭを再利用することができるため環境に優しい。また、メディアＭを再利用することができるため、高価な基材をメディアＭとして利用することもできる。
【０１３７】
上記のインクジェット記録方法では、除去可能なコート層をメディアＭ上に形成するだけで画像層も除去可能になるため、画像層を形成する際には様々な種類のインクを利用することができる。
【０１３８】
（使用例）
以上では、メディアＭの前面に第１インクＣからなるコート層を形成する形態を示したが、本発明は必ずしもこれに限定されるわけではない。上述したように、記録する画像の任意の部分にのみコート層を形成してもよい。例えば、メディアＭ上の一部の領域に第１インクＣでコート層を形成し、残りの領域はコート層を形成しなくてもよい。
【０１３９】
例えば、図３に示すようなメディアの場合、メディア上の第１領域１５ａおよび第２領域１５ｂには第１インクＣによってコート層を形成し、残りの領域にはコート層を形成せず、第１領域１５ａおよび第２領域１５ｂにコート層が形成されたメディア上に第２インクＩ’からなる画像を形成する。
【０１４０】
これにより、第１領域１５ａおよび第２領域１５ｂの画像は、特定の溶媒によって取り除くことができるため、第１領域１５ａおよび第２領域１５ｂの画像を描き替えることができるようになる。例えば、第１領域１５ａに記載の「××商会」という文字列を他の文字列（例えば、別の商会名）に描き替えることができる。また、第２領域１５ｂに記載のりんごの画像を他の画像（例えば、別の食材の画像）に描き替えることができる。
【０１４１】
このように、メディア上の一部の領域の画像のみを描き直すような場合にも、第１インクＣを好適に利用できる。この場合もメディアを再利用することができるため環境に優しい。
【０１４２】
（まとめ）
本発明の一態様に係る記録媒体上にインクジェット方式を用いて形成した画像層の下地となり、形成した画像層を光の照射によって定着させた後、溶媒で溶解して記録媒体上から当該画像層を除去するためのインク組成物Ｂ（以下、単に「本発明の一態様に係るインク組成物Ｂ」という。）は、光の照射を受けることで硬化し、硬化した状態で溶媒によって溶解する光硬化性化合物を含む。
【０１４３】
本発明の一態様に係るインク組成物Ｂによって画像層の下地となるコート層を形成すれば、当該コート層上に画像層を形成して画像を記録媒体上に記録するため、記録媒体上のコート層をそのまま溶媒で除去することにより画像層も除去され、画像を除去することができる。すなわち、本発明の一態様に係るインク組成物Ｂを用いれば、通常の記録工程でコート層を形成することができるため、除去可能な画像を記録するために通常の記録工程に加えて新たな工程が不要であり、作業工程が簡素である。また、本発明の一態様に係るインク組成物Ｂは、光によって硬化されるため、速乾性があり作業性を良好にする。
【０１４４】
そして、記録媒体から画像を除去するときには、溶媒を含浸させた含浸部材で記録媒体上のコート層および画像層を拭き取るだけで画像を除去することができるため、記録媒体を溶媒に浸漬する工程は不要である。すなわち、記録媒体から画像を除去する作業も利用者にとって容易である。このように、本発明の一態様に係るインク組成物Ｂは、記録媒体上から容易に除去可能な画像の記録および除去を良好な作業性で実現することができる。
【０１４５】
また、本発明の一態様に係るインク組成物Ｂは、連鎖移動剤をさらに含む。
【０１４６】
上記の構成によれば、インクの分子量が抑えられるため、当該溶媒により溶解しやすくなり、記録媒体から画像をより除去しやすくなる。
【０１４７】
また、本発明の一態様に係るインク組成物Ｂにおいては、上記インク組成物Ｂを溶解させるために使用する上記溶媒は、水、弱アルカリ水溶液または有機溶剤である。
【０１４８】
上記の構成によれば、水、弱アルカリ水溶液または有機溶剤を含浸させた含浸部材で記録媒体上のインクを拭き取るだけで画像を除去することができる。
【０１４９】
また、本発明の一態様に係るインクジェット記録装置２１は、光の照射を受けることで硬化し、硬化した状態で溶媒によって溶解する第１インクでコート層を記録媒体（メディアＭ）上に形成し、第２インクで画像層を当該コート層上に形成する記録ヘッド３１と、上記記録媒体上の上記第１インクに光を照射する照射手段（左照射部３２Ａ，右照射部３２Ｂ）と、を備える。
【０１５０】
上記の構成によれば、硬化した状態で溶媒によって溶解する第１インクからなるコート層を形成し、当該コート層上に第２インクからなる画像を形成して画像を記録媒体上に記録するため、記録媒体上のコート層をそのまま溶媒で除去することにより画像層も除去され、画像を除去することができる。コート層は通常の記録工程で形成することができるため、記録工程に加えて新たな工程が不要であり、作業工程が簡素である。また、記録ヘッド３１から吐出される第１インクは、記録媒体上に吐出されると同時に照射手段からの光によって硬化されるため、当該第１インクを乾燥させる工程も不要である。また、硬化した状態で溶媒によって溶解する第１インクからなるコート層を記録ヘッド３１で印刷し、塗膜形成するため、記録する画像の有効画素の部分、または記録後除去したい画像の任意の部分にのみコート層の形成が可能である。そのため、必要な部分にのみ第１インクを使用することにより、第１インクの使用コストの削減およびコート層の除去の容易性が高まる。
【０１５１】
そして、記録媒体から画像を除去するときには、溶媒を含浸させた含浸部材で記録媒体上のコート層および画像層を拭き取るだけで画像を除去することができるため、記録媒体を溶媒に浸漬する工程は不要である。すなわち、記録媒体から画像を除去する作業も利用者にとって容易である。このように、本発明の一態様に係るインクジェット記録装置２１は、記録媒体上から容易に除去可能な画像の記録を良好な作業性で実現することができる。
【０１５２】
また、本発明の一態様に係るインクジェット記録装置２１においては、上記記録ヘッド３１は、上記画像層を網点印刷して形成する。
【０１５３】
上記の構成によれば、画像層に任意の間隔で隙間が形成されていることにより、当該隙間から溶媒が入り込み、コート層まで到達しやすくなる。その結果、溶媒によってコート層をより効果的に除去することができる。
【０１５４】
また、本発明の一態様に係るインクジェット記録装置２１においては、上記コート層の印刷範囲の大きさは、上記画像層の印刷範囲の大きさ以上である。
【０１５５】
上記の構成によれば、溶媒によってコート層をより効果的に除去することができる。
【０１５６】
また、本発明の一態様に係るインクジェット記録方法は、光の照射を受けることで硬化し、硬化した状態で溶媒によって溶解する第１インクでコート層を記録媒体上に形成すると同時に、第２インクで画像を当該コート層上に形成する工程と、上記記録媒体上の上記第１インクに光を照射する工程と、を含む。
【０１５７】
上記の方法によれば、本発明の一態様に係るインクジェット記録装置２１と同等の効果を奏することができる。
【０１５８】
また、本発明の一態様に係る記録媒体の再利用方法は、光の照射を受けることで硬化し、硬化した状態で溶媒によって溶解する光硬化性化合物を含む第１インクを用いて、記録媒体上にインクジェット方式でコート層を形成し、当該コート層上に第２インクを用いて、インクジェット方式で画像層を形成し、形成した画像層を光の照射によって定着させた後、当該コート層を当該溶媒で溶解して上記記録媒体上から上記画像層を除去する。
【０１５９】
上記の方法によれば、溶媒を含浸させた含浸部材で記録媒体上の第１インク（コート層）を拭き取るだけで画像を除去することができるため、記録媒体を溶媒に浸漬する工程は不要である。すなわち、記録媒体から画像を除去する作業も利用者にとって容易である。このように、本発明の一態様に係る記録媒体の再利用方法は、記録媒体上から容易に除去可能な画像の除去を良好な作業性で実現することができる。
【０１６０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１６１】
本発明は、メディア上から除去可能な画像を印刷するインクジェット記録装置に利用することができる。
【符号の説明】
【０１６２】
１，２１    インクジェット記録装置
５，２５    Ｙバー
１０，３０    キャリッジ
１１，３１    記録ヘッド
１２Ａ，３２Ａ    左照射部
１２Ｂ，３２Ｂ    右照射部
Ｍ    メディア
Ｉ    インク
Ｃ    第１インク
Ｉ’  第２インク
【図１】
2016065213.tif 000002
【図２】
2016065213.tif 000003
【図３】
2016065213.tif 000004
【図４】
2016065213.tif 000005
【図５】
2016065213.tif 000006
【図６】
2016065213.tif 000007